(57)【要約】【課題】幅方向寸法の短いロールペーパーでも良好に中央に寄せて装着することができ、しかも、ロールペーパーの横すべりを防ぐことができる紙巻器を提供する。【解決手段】装着されたロールペーパー７の上面に加圧される紙切板５の裏面には、ロールペーパー７の幅方向両端に当接して、ロールペーパー７を紙巻器の幅方向中央側へ押圧する作用をなす押圧部１５ｂ，１５ｂが設けられており、幅方向寸法の短いロールペーパー７でも良好に中央に寄せることができ、ロールペーパー７の横すべりを防ぐことができるものとなる。【選択図】　　　　　　　　図３
2004049576.tif 000002
【特許請求の範囲】
【請求項１】
装着されたロールペーパーの上面に配置される部材の裏面に、前記ロールペーパーの幅方向両端に当接して、該ロールペーパーを紙巻器の幅方向中央側へ押圧する押圧部を設けたことを特徴とする紙巻器。
【請求項２】
装着されたロールペーパーの下面が当接する部材に、前記ロールペーパーの幅方向両端に当接して、該ロールペーパーを紙巻器の幅方向中央側へ押圧する押圧部を設けたことを特徴とする紙巻器。
【請求項３】
前記押圧部が、曲面状あるいは傾斜状に紙巻器の幅方向に延びて形成されていることを特徴とする請求項１または請求項２に記載の紙巻器。
【請求項４】
装着されたロールペーパーの上面に配置される部材の裏面に、前記ロールペーパーの幅方向両端側に垂下されて、該ロールペーパーを紙巻器の幅方向中央側に保持し得る横移動規制部を設けたことを特徴とする紙巻器。
【請求項５】
装着されたロールペーパーの下面が当接する部材に、前記ロールペーパーの幅方向両端側に起立されて、該ロールペーパーを紙巻器の幅方向中央側に保持し得る横移動規制部を設けたことを特徴とする紙巻器。
【請求項６】
前記横移動規制部が、リブ状あるいは段状に紙巻器の幅方向に間隔をおいて２以上形成されていることを特徴とする請求項４または請求項５に記載の紙巻器。
【請求項７】
前記ロールペーパーの上面に配置される部材が、紙切板あるいは蓋カバーであることを特徴とする請求項１または請求項４に記載の紙巻器。
【請求項８】
前記ロールペーパーの上面に配置される部材が、紙切板，蓋カバー等の裏面に後付けされる装着部材であることを特徴とする請求項１または請求項４に記載の紙巻器。
【請求項９】
前記ロールペーパーの上面に配置される部材が、該ロールペーパーの上面を加圧していることを特徴とする請求項１または請求項４または請求項７または請求項８に記載の紙巻器。
【請求項１０】
前記ロールペーパーの下面が当接する部材が、該ロールペーパーを収納する本体あるいはケースであることを特徴とする請求項２または請求項５に記載の紙巻器。
【請求項１１】
前記ロールペーパーの下面が当接する部材が、該ロールペーパーを収納する本体あるいはケース等に後付けされる装着部材であることを特徴とする請求項２または請求項５に記載の紙巻器。
【発明の詳細な説明】
【０００１】
【発明の属する技術分野】
この発明は、ロールペーパーを装着できる紙巻器に関するものである。
【０００２】
【従来の技術及び発明が解決しようとする課題】
従来、トイレに設置される一般的な紙巻器の幅は、異なる幅寸法のロールペーパーを装着できるようにある程度の大きさに設定されている。
このような紙巻器において、幅方向寸法の短いロールペーパーを装着する場合に、良好にロールペーパーを保持するためには、ロールペーパーを支持する爪を長くしておくとか、または従来のような芯棒タイプにする必要があった。
また、幅方向寸法の短いロールペーパーを装着する場合、ロールペーパーが片側へ寄ってしまったり、紙切板をロールペーパーの上面に加圧させて紙を切ろうとする際に、横滑りして紙が切りにくいという問題点があった。
【０００３】
【課題を解決するための手段】
本発明は、上記従来の問題点に鑑み案出したものであって、幅方向寸法の短いロールペーパーでも、中央部に寄せて装着し易く、横滑りを防いで、良好に紙を切断することができる紙巻器を提供せんことを目的とし、その第１の要旨は、装着されたロールペーパーの上面に配置される部材の裏面に、前記ロールペーパーの幅方向両端に当接して、該ロールペーパーを紙巻器の幅方向中央側へ押圧する押圧部を設けたことである。
また第２の要旨は、装着されたロールペーパーの下面が当接する部材に、前記ロールペーパーの幅方向両端に当接して、該ロールペーパーを紙巻器の幅方向中央側へ押圧する押圧部を設けたことである。
また第３の要旨は、前記押圧部が、曲面状あるいは傾斜状に紙巻器の幅方向に延びて形成されていることである。
また第４の要旨は、装着されたロールペーパーの上面に配置される部材の裏面に、前記ロールペーパーの幅方向両端側に垂下されて、該ロールペーパーを紙巻器の幅方向中央側に保持し得る横移動規制部を設けたことである。
また第５の要旨は、装着されたロールペーパーの下面が当接する部材に、前記ロールペーパーの幅方向両端側に起立されて、該ロールペーパーを紙巻器の幅方向中央側に保持し得る横移動規制部を設けたことである。
また第６の要旨は、前記横移動規制部が、リブ状あるいは段状に紙巻器の幅方向に間隔をおいて２以上形成されていることである。
また第７の要旨は、前記ロールペーパーの上面に配置される部材が、紙切板あるいは蓋カバーであることである。
また第８の要旨は、前記ロールペーパーの上面に配置される部材が、紙切板，蓋カバー等の裏面に後付けされる装着部材であることである。
また第９の要旨は、前記ロールペーパーの上面に配置される部材が、該ロールペーパーの上面を加圧していることである。
また第１０の要旨は、前記ロールペーパーの下面が当接する部材が、該ロールペーパーを収納する本体あるいはケースであることである。
また第１１の要旨は、前記ロールペーパーの下面が当接する部材が、該ロールペーパーを収納する本体あるいはケース等に後付けされる装着部材であることである。
【０００４】
【発明の実施の形態】
以下、本発明の実施例を図面に基づいて説明する。
図１は、第１実施例の紙巻器の紙切板を開けた状態の斜視構成図であり、図２は、紙切板の斜視構成図である。
図において、紙巻器１は、背板部２の左右両端から前方側へ突出して、一対の側板部３，３が設けられ、各側板部３，３の内側には、爪４，４がそれぞれ設けられており、この爪４，４をロールペーパーの芯に挿入させ、ロールペーパーを支持して、側板部３，３間にロールペーパーを装着できるように構成されている。
【０００５】
また、紙切板５は、軸６を介して上下方向に回動させることができ、軸６には、例えばバネ等が設けられて、この紙切板５がロールペーパーの上面に加圧当接されるように構成されている。
本例における紙切板５には、中央側の平板部５ａの幅方向の左右両端側に、曲面状あるいは傾斜状に下方向へ曲げて、それぞれ押圧部５ｂ，５ｂが形成されている。
【０００６】
図３の正面図で示すように、幅方向寸法の短い（例えば、幅寸法ａが１００ｍｍ）のロールペーパー７を紙巻器１に装着した状態では、ロールペーパー７の上面に紙切板５が加圧当接状態となった時に、ロールペーパー７の上面の幅方向両端に、紙切板５の押圧部５ｂ，５ｂが当接し、この押圧部５ｂ，５ｂが当接することで、ロールペーパー７は幅方向中央側に自然に寄せられ、良好にロールペーパー７は紙巻器１の中央側に装着されることとなり、爪４，４からロールペーパー７が外れることがなくなる。
【０００７】
また、ロールペーパー７から紙を引出して、紙切板５で切断する際に、押圧部５ｂ，５ｂを介しロールペーパー７を中央側へ寄せる力が作用しているため、ロールペーパー７が横滑りすることがなく、片手で良好に紙を切断することができるものとなる。
なお、加圧式の紙切板５に限らず、紙切板５をロールペーパー７の上面に手で押し付けて使用するタイプにおいても、ロールペーパー７の上面に紙切板５を押し付けた時に、押圧部５ｂ，５ｂにより、ロールペーパー７を中央側へ寄せる力が作用して、良好にロールペーパー７を紙巻器１の中央側に寄せることができ、紙の切断時には、押圧部５ｂ，５ｂにより、ロールペーパー７の横滑りを防ぐことができるものとなる。
【０００８】
なお、図４は、幅方向寸法ａが例えば、１１８ｍｍの幅方向寸法の長いロールペーパー７を装着した状態の正面図を示すものである。
このような幅方向寸法の長いロールペーパー７を装着した場合にも、押圧部５ｂ，５ｂの下端側が、ロールペーパー７の上面の幅方向両端側に当接できるように構成されている。例えば、紙切板５の平板部５ａの幅方向寸法ｂを１００ｍｍに設定し、その左右両側の押圧部５ｂ，５ｂのそれぞれの幅方向寸法ｃを１０ｍｍに設定しておけば、幅方向寸法の短いロールペーパー７でも、幅方向寸法の長いロールペーパー７でも、良好に押圧部５ｂ，５ｂを介して中央側へ寄せることができるものである。
【０００９】
次に、図５の斜視図で示すものは、既存の紙切板５１の裏側に、別体で形成した後付装着部材８を、接着または粘着テープ，ワンタッチ式着脱テープ等で貼着一体化させたものである。
この後付装着部材８においても、接着剤等で既存の紙切板５１の裏面に貼着される平板部８ａと、平板部８ａの幅方向両端側に曲面状または傾斜状に垂下して形成された押圧部８ｂ，８ｂを備えており、この押圧部８ｂ，８ｂは、ロールペーパー７の上面の幅方向両端に当接して、ロールペーパー７を良好に紙巻器１の中央側へ寄せることができるものである。
【００１０】
このような構造では、既存の紙巻器の紙切板５１の裏側に、後付けで装着部材８を容易に取付けることができ、この後付装着部材８により、ロールペーパー７を良好に紙巻器の中央側に寄せることができ、また、横滑りを起こすことなく、良好に紙を切断することができるものとなる。
【００１１】
次に、図６に示す紙切板５１は、変更例を示すものであり、図６は、一般的な紙切板５１の裏面にリブ板９を一体または後付けで形成させたもので、このリブ板９は、紙切板５１から下方に向かって突出されており、幅方向両端側には、曲面状または傾斜状に下方に向かう押圧部９ｂ，９ｂが形成されている。
このような紙切板５１においても、押圧部９ｂ，９ｂがロールペーパー７の上面の幅方向両端に当接して、ロールペーパー７を幅方向中央側へ押圧する作用をなし、ロールペーパー７を紙巻器の中央側に良好に寄せることができるものとなり、また、ロールペーパー７の横滑りも防ぐことができるものとなる。
【００１２】
次に、図７は更に異なる紙切板の変形例を示すものであり、図７では、紙切板５１の裏側の、幅方向両端側に大半円リブ１０，１０を、大半円リブ１０，１０の内側に小半円リブ１１，１１を、それぞれ下方側へ突出させたものである。
このような構造では、幅方向寸法の長いロールペーパーの場合には、その幅方向両端側に、外側の大半円リブ１０，１０が垂下配置されて、ロールペーパーの横滑りを防ぐことができ、幅方向寸法の短いロールペーパーの場合には、その幅方向両端側に、内側の小半円リブ１１，１１が垂下配置されて、ロールペーパーの横滑りを防ぐことができるものとなる。
即ち、大半円リブ１０，１０が、幅方向寸法の長いロールペーパーの横移動を規制する横移動規制部として作用し、小半円リブ１１，１１が、幅方向寸法の短いロールペーパーの横移動を規制する横移動規制部として作用する。
なお、大半円リブ１０，１０，小半円リブ１１，１１は、幅方向に間隔をおいて２以上形成させておくことができ、半円形に限定されるものではない。
【００１３】
更に、図８で示す紙切板５は、陶器，樹脂等で肉厚状に形成したものであり、肉厚が大であるため、重量が大きく、ロールペーパーの上面に当接した時に、その重量でロールペーパーの上面を加圧できるように構成されている。
この紙切板５の裏面の幅方向両端側には、下方側へ向かって曲面状または傾斜状に押圧部５ｂ，５ｂが形成されており、ロールペーパーの上面の幅方向両端側にこの押圧部５ｂ，５ｂが当接することにより、良好にロールペーパーを中央側に寄せることができ、また、ロールペーパーの横滑りを良好に防ぐことができるものとなる。
【００１４】
次に、図９の変更例で示す紙切板５１は、裏側の幅方向両端側に、左リブ板１２と右リブ板１３を対称状に垂下形成させたものであり、各リブ板１２，１３には、それぞれ高さの異なる複数段（図９では３段）の押圧段部１２ａ，１２ａ，１２ａ、１３ａ，１３ａ，１３ａが形成されており、複数段の押圧段部１２ａ，１３ａは、紙切板５１の幅方向中央側が低く、幅方向両端側に向かって高さが高い段状に形成されている。
このような構造の紙切板５１においては、左リブ板１２および右リブ板１３の複数の押圧段部の内、何れかの高さの押圧段部１２ａ，１３ａがロールペーパーの幅方向両端側にほぼ当接状態となる。
即ち、幅方向寸法の長いロールペーパーの場合には、その幅方向両端側に、外側の高さが高い押圧段部１２ａ，１３ａが当接されて、ロールペーパーの横滑りを防ぐことができ、幅方向寸法の短いロールペーパーの場合には、その幅方向両端側に、内側の高さの低い押圧段部１２ａ，１３ａが当接されて、ロールペーパーの横滑りを防ぐことができるものとなり、押圧段部１２ａ，１３ａが、ロールペーパーの横移動を規制する横移動規制部として作用する。
【００１５】
次に、図１０〜図１３では、形状の異なる紙巻器１を示しており、この紙巻器１は、上面にカウンター１４が設けられ、カウンター１４から垂下状に側板部３が垂設されており、この側板部３に、軸１６を介して回動可能にケース１５が設けられ、カウンター１４の下面側に固定状に紙切板５が設けられたものであり、ケース１５内にはロールペーパー７を収納できる収納空間Ｓが形成されている。ロールペーパー７をケース１５内に装着する際には、予め紙を１０ｃｍ程度引出した状態で、図１１の側面図で示すように、ケース１５を大きく開け、この状態で収納空間Ｓ内にロールペーパー７を入れ、その後に図１２に示すように、ケース１５を紙切板５側へ回転させて閉じ、ロールペーパー７をケース１５内に収納装着させることができるものである。
【００１６】
このような構造の紙巻器１において、ロールペーパー７を収納した状態の縦断面拡大図を図１３に示して説明すると、ケース１５は、その底部１５ａの幅方向両端側に、上方へ曲面状または傾斜状に湾曲して押圧部１５ｂ，１５ｂが一体形成されており、この押圧部１５ｂ，１５ｂの上端から側面部１５ｃ，１５ｃが一体状に立ち上げ形成されたものとなっており、ロールペーパー７が収納された状態では、ロールペーパー７の下面の幅方向両端が、ケース１５の押圧部１５ｂ，１５ｂに当接し、この押圧部１５ｂ，１５ｂが曲面状または傾斜状に形成されていることで、ロールペーパー７を幅方向中央側へ押圧する力を発生させて、ロールペーパー７を自然に中央側へ寄せることができるものとなる。
【００１７】
即ち、幅方向寸法の長いロールペーパー７でも、幅方向寸法の短いロールペーパー７でも、ケース１５内に収納された状態では、押圧部１５ｂ，１５ｂを介して良好に収納空間Ｓの中央部に寄せられることとなる。
なお、更には、上面の紙切板５の裏側の幅方向両端側にも押圧部５ｂ，５ｂを形成させておけば、更にロールペーパー７の上面の幅方向両端側が押圧部５ｂ，５ｂにより中央側へ押圧されて、より良好にロールペーパー７を中央側に寄せることができ、しかも、紙を切断する際の横滑りを良好に防ぐことができるものとなる。
【００１８】
なお、別体で形成した押圧部５ｂ，５ｂを備えた後付装着部材を、接着または粘着テープ，ワンタッチ式着脱テープ等でケース１５に貼着一体化させて構成しても良い。
更には、ケース１５に、大半円リブ１０，１０，小半円リブ１１，１１を、幅方向に間隔をおいて２以上形成させて構成しても、ケース１５に、押圧段部１２ａ，１３ａを設けて、ロールペーパーの横移動を規制する横移動規制部として作用させることもでき、更には、大半円リブ１０，１０，小半円リブ１１，１１あるいは押圧段部１２ａ，１３ａを備えた後付装着部材を、ケース１５に貼着一体化させて構成しても良い。
【００１９】
次に、図１４および図１５で示す形式の紙巻器１は、トイレの壁面等に固定される本体１７内に、ロールペーパー７を収納できる収納空間Ｓが形成されており、本体１７の上面側に、軸１９を介し開閉可能に蓋カバー１８が設けられている。
本体１７の収納空間Ｓを形成する底部１７ａの幅方向両端側には、前述した図１３に示すように、上方側へ曲面状または傾斜状に押圧部１７ｂ，１７ｂが形成されており、この押圧部１７ｂ，１７ｂに連続して側面部１７ｃ，１７ｃが一体形成されたものである。
【００２０】
図１４は、収納空間Ｓ内にロールペーパー７を収納させ、ロールペーパー７の上面を蓋カバー１８で覆蓋した状態を示すものである。
蓋カバー１８の幅方向両端側には、曲面状または傾斜状に押圧部１８ｂ，１８ｂが形成されており、この押圧部１８ｂ，１８ｂが、ロールペーパー７の上面の幅方向両端に当接して、ロールペーパー７を幅方向中央側へ押圧できるものであり、蓋カバー１８を手で押さえることで、良好に作用させてロールペーパーを中央側に寄せることができるものである。
【００２１】
即ち、本体１７に形成された押圧部１７ｂ，１７ｂにより、良好にロールペーパー７を中央側に寄せることができ、更に、蓋カバー１８の押圧部１８ｂ，１８ｂにおいても、同様にロールペーパーを中央側に寄せることができ、幅方向寸法の短いロールペーパーでも良好に中央側に寄せて装着することができ、また、紙を切断する際にも、この押圧部１７ｂ，１８ｂの作用により、横滑りが防がれて、良好に紙を切断することができるものとなる。
【００２２】
なお、図１４および図１５で示す形式の紙巻器１においても、別体で形成した押圧部１７ｂ，１７ｂを備えた後付装着部材を、接着または粘着テープ，ワンタッチ式着脱テープ等で本体１７に貼着一体化させて構成しても良い。
更には、本体１７に、大半円リブ１０，１０，小半円リブ１１，１１を、幅方向に間隔をおいて２以上形成させて構成しても、本体１７に、押圧段部１２ａ，１３ａを設けて、ロールペーパーの横移動を規制する横移動規制部として作用させることもでき、更には、大半円リブ１０，１０，小半円リブ１１，１１あるいは押圧段部１２ａ，１３ａを備えた後付装着部材を、本体１７に貼着一体化させて構成しても良い。
【００２３】
【発明の効果】
本発明の紙巻器は、装着されたロールペーパーの上面に配置される部材の裏面に、ロールペーパーの幅方向両端に当接して、ロールペーパーを紙巻器の幅方向中央側へ押圧する押圧部を設けたことにより、押圧部の作用で、ロールペーパーを紙巻器の中央部に寄せて、幅方向寸法の短いロールペーパーでも良好に紙巻器に装着することができ、また、横滑りも良好に防ぐことができるものとなる。
【００２４】
また、装着されたロールペーパーの下面が当接する部材に、ロールペーパーの幅方向両端に当接して、ロールペーパーを紙巻器の幅方向中央側へ押圧する押圧部を設けたことにより、押圧部の作用で、良好にロールペーパーを紙巻器の幅方向中央側に寄せることができ、幅方向寸法の短いロールペーパーでも良好に保持できるものとなる。
【００２５】
また、押圧部が、曲面状あるいは傾斜状に紙巻器の幅方向に延びて形成されていることにより、押圧部がロールペーパーの幅方向両端側に当接することで、ロールペーパーを中央側へ押圧する作用力が働き、良好にロールペーパーを紙巻器の幅方向中央側へ寄せることができるものとなる。
【００２６】
また、装着されたロールペーパーの上面に配置される部材の裏面に、ロールペーパーの幅方向両端側に垂下されて、ロールペーパーを紙巻器の幅方向中央側に保持し得る横移動規制部を設けたことにより、横移動規制部で、ロールペーパーの横滑りを防いで、ロールペーパーを紙巻器の中央部に保持できるものとなる。
【００２７】
また、装着されたロールペーパーの下面が当接する部材に、ロールペーパーの幅方向両端側に起立されて、ロールペーパーを紙巻器の幅方向中央側に保持し得る横移動規制部を設けたことにより、横移動規制部で、ロールペーパーの横滑りを防いで、ロールペーパーを紙巻器の中央部に保持できるものとなる。
【００２８】
また、横移動規制部が、リブ状あるいは段状に紙巻器の幅方向に間隔をおいて２以上形成されていることにより、幅方向寸法の短いロールペーパーでも良好に紙巻器の中央部に装着することができ、また、横滑りも良好に防ぐことができるものとなる。
【００２９】
また、ロールペーパーの上面に配置される部材が、紙切板あるいは蓋カバーであることにより、紙切板あるいは蓋カバーをロールペーパーの上面に作用させて、ロールペーパーの横滑りを防いで、ロールペーパーを紙巻器の中央部に保持できるものとなる。
【００３０】
また、ロールペーパーの上面に配置される部材が、紙切板，蓋カバー等の裏面に後付けされる装着部材であることにより、既存の紙巻器の紙切板、あるいは蓋カバーの裏面に容易に装着部材を後付けして、この装着部材に設けられている押圧部または横移動規制部の作用により、良好にロールペーパーを紙巻器の中央に装着することができ、またロールペーパーの横滑りも防ぐことができるものとなる。
【００３１】
また、ロールペーパーの上面に配置される部材が、ロールペーパーの上面を加圧していることにより、バネの力や重量で紙切板あるいは蓋カバーがロールペーパーの上面に加圧されることで、ロールペーパーが良好に中央側に寄せられ、幅方向寸法の短いロールペーパーでも良好に保持でき、また横滑りを防ぐことができるものとなり、片手で紙を切り易くなる効果を有する。
【００３２】
また、ロールペーパーの下面が当接する部材が、ロールペーパーを収納する本体、あるいはケースであることにより、本体あるいはケース内にロールペーパーを入れると、良好にロールペーパーが中央側に寄せられ、幅方向寸法の短いロールペーパーでも良好に本体あるいはケース内中央側に収納させることができ、横滑りも良好に防ぐことができるものとなる。
【００３３】
また、ロールペーパーの下面が当接する部材が、ロールペーパーを収納する本体あるいはケース等に後付けされる装着部材であることにより、既存の紙巻器の本体あるいはケース等に容易に装着部材を後付けして、この装着部材に設けられている押圧部または横移動規制部の作用により、良好にロールペーパーを紙巻器の中央に装着することができ、またロールペーパーの横滑りも防ぐことができるものとなる。
【図面の簡単な説明】
【図１】第１実施例の紙巻器の紙切板を開けた状態の斜視構成図である。
【図２】図１の紙切板の斜視構成図である。
【図３】図１の紙巻器に、幅方向寸法の短いロールペーパーを装着した状態の正面構成図である。
【図４】図１の紙巻器に、幅方向寸法の長いロールペーパーを装着した状態の正面構成図である。
【図５】既存の紙切板の裏側に装着部材を後付けした紙巻器の斜視構成図である。
【図６】紙切板の変形例を示す斜視構成図である。
【図７】更に異なる紙切板の変形例を示す斜視構成図である。
【図８】更に異なる紙切板の変形例を示す斜視構成図である。
【図９】更に異なる紙切板の変形例を示す斜視構成図である。
【図１０】ケース内にロールペーパーを収納させるタイプの紙巻器の斜視構成図である。
【図１１】図１０の紙巻器のケースを開けた状態の側面構成図である。
【図１２】図１０のケースを閉じた状態の側面構成図である。
【図１３】図１０のケース内にロールペーパーを装着した状態の縦断面拡大構成図である。
【図１４】本体内にロールペーパーを入れ、蓋カバーで覆蓋した状態の別タイプの紙巻器の斜視構成図である。
【図１５】図１４の紙巻器の蓋カバーを開けた状態の斜視構成図である。
【符号の説明】
１　　紙巻器
２　背板部
３　　側板部
４　　爪
５　　紙切板
５ａ　　平板部
５ｂ　　押圧部
６　　軸
７　　ロールペーパー
８　　後付装着部材
８ｂ　　押圧部
９　　リブ板
９ｂ　　押圧部
１０　　大半円リブ
１１　　小半円リブ
１２　　左リブ板
１２ａ　　押圧段部
１３　　右リブ板
１３ａ　　押圧段部
１４　　カウンター
１５　　ケース
１５ａ　　底部
１５ｂ　　押圧部
１５ｃ　　側面部
１６　　軸
１７　　本体
１７ｂ　　押圧部
１７ｃ　　側面部
１８　　蓋カバー
１８ｂ　　押圧部
Ｓ　　収納空間
【図１】
2004049576.tif 000003
【図２】
2004049576.tif 000004
【図３】
2004049576.tif 000005
【図４】
2004049576.tif 000006
【図５】
2004049576.tif 000007
【図６】
2004049576.tif 000008
【図７】
2004049576.tif 000009
【図８】
2004049576.tif 000010
【図９】
2004049576.tif 000011
【図１０】
2004049576.tif 000012
【図１１】
2004049576.tif 000013
【図１２】
2004049576.tif 000014
【図１３】
2004049576.tif 000015
【図１４】
2004049576.tif 000016
【図１５】
2004049576.tif 000017